(57)【要約】【課題】  撮影カメラの非撮影期間に提示される提示情報に色を付加しても、出演者がその情報を認識することができ、さらに提示情報の認識性を高めることが可能な映像表示装置を提供する。【解決手段】  映像表示装置１０は、撮影カメラとの同期信号に基づいて、映像の１フィールド区間を時分割する映像時分割手段１１と、映像時分割手段１１で時分割された時分割映像に対して、撮影期間又は非撮影期間内で、時分割映像の表示又は非表示の切り替えを行う映像表示切り替え手段１３と、映像表示切り替え手段１３で切り替えられた表示用の時分割映像を表示する映像表示手段１５と、撮影期間又は非撮影期間内で、色光の表示又は非表示の切り替えを行う色光表示切り替え手段１４と、色光表示切り替え手段１４で切り替えられた色光表示の期間に色光を表示する色光表示手段１６とを備えていることを特徴とする。【選択図】      図１
2005268838.tif 000002
【特許請求の範囲】
【請求項１】
基準同期信号に基づいて撮影動作する撮影カメラによって撮影を行う際に、前記撮影カメラによって撮影される映像信号の１フィールド期間を、撮影期間と非撮影期間とに時分割し、前記撮影期間に前記撮影カメラで撮影される色光を表示し、前記非撮影期間に前記撮影カメラで撮影されない映像を表示するための制御を行う映像表示制御装置であって、
前記基準同期信号に基づいて撮影される映像信号の１フィールド区間を、前記撮影期間と前記非撮影期間とに時分割する映像時分割手段と、
前記基準同期信号に基づいて、前記映像時分割手段で時分割された時分割映像信号が、前記撮影期間で非表示、前記非撮影期間で表示となる表示映像信号を生成する映像表示切り替え手段と、
前記基準同期信号に基づいて、前記色光が、前記撮影期間で表示、前記非撮影期間で非表示となる前記色光の表示を制御する色光制御信号を生成する色光表示切り替え手段と、
を備えていることを特徴とする映像表示制御装置。
【請求項２】
基準同期信号に基づいて撮影動作する撮影カメラによって撮影を行う際に、前記撮影カメラによって撮影される映像信号の１フィールド期間を、撮影期間と非撮影期間とに時分割し、前記撮影期間に前記撮影カメラで撮影される色光を表示し、前記非撮影期間に前記撮影カメラで撮影されない映像を表示する映像表示装置であって、
請求項１に記載の映像表示制御装置と、
この映像表示制御装置で生成された表示映像信号を表示する映像表示手段と、
前記映像表示制御装置で生成された色光制御信号に基づいて、前記色光を表示する色光表示手段と、
を備えていることを特徴とする映像表示装置。
【請求項３】
前記映像表示手段が、光源からの光を反射させることで映像の表示を行う可動ミラーを備えていることを特徴とする請求項２に記載の映像表示装置。
【請求項４】
前記映像表示手段が、前記表示映像信号に基づいて、光源からの光の通過又は遮蔽を行う映像光路開閉手段を備えていることを特徴とする請求項２に記載の映像表示装置。
【請求項５】
前記色光表示手段が可動ミラーを備え、
前記可動ミラーが、前記色光制御信号に基づいて、色光源からの色光を反射させることで前記色光の表示を行うことを特徴とする請求項２乃至請求項４のいずれか一項に記載の映像表示装置。
【請求項６】
前記色光表示手段が色光源からの光の通過又は遮蔽を行う色光路開閉手段を備え、
前記色光表示手段が、前記色光制御信号に基づいて、前記色光路開閉手段を開閉させることで前記色光の表示の切り替えを行うことを特徴とする請求項２乃至請求項４のいずれか一項に記載の映像表示装置。
【請求項７】
前記色光表示手段は、発光ダイオードを色光源として前記色光を表示することを特徴とする請求項２乃至請求項６のいずれか一項に記載の映像表示装置。
【請求項８】
基準同期信号に基づいて撮影動作する撮影カメラによって撮影を行う際に、前記撮影カメラによって撮影される映像信号の１フィールド期間を、撮影期間と非撮影期間とに時分割し、前記撮影期間に前記撮影カメラで撮影される第１の映像を表示し、前記非撮影期間に前記撮影カメラで撮影されない第２の映像を表示するための制御を行う映像表示制御装置であって、
前記基準同期信号に基づいて撮影される第１の映像信号の１フィールド区間を時分割する第１の映像時分割手段と、
前記基準同期信号に基づいて撮影される第２の映像信号の１フィールド区間を時分割する第２の映像時分割手段と、
前記基準同期信号に基づいて、前記第１の映像時分割手段で時分割された第１の時分割映像信号と、前記第２の映像時分割手段で時分割された第２の時分割映像信号とから、それぞれ前記撮影期間又は前記非撮影期間のいずれか一方で表示する表示映像信号を生成する映像表示切り替え手段と、
を備えていることを特徴とする映像表示制御装置。
【請求項９】
基準同期信号に基づいて撮影動作する撮影カメラによって撮影を行う際に、前記撮影カメラによって撮影される映像信号の１フィールド期間を、撮影期間と非撮影期間とに時分割し、前記撮影期間に前記撮影カメラで撮影される第１の映像を表示し、前記非撮影期間に前記撮影カメラで撮影されない第２の映像を表示する映像表示装置であって、
請求項８に記載の映像表示制御装置と、
この映像表示制御装置で生成された表示映像信号を表示する映像表示手段と、
を備えていることを特徴とする映像表示装置。
【請求項１０】
前記映像表示手段が、光源からの光を反射させることで映像の表示を行う可動ミラーを備えていることを特徴とする請求項９に記載の映像表示装置。
【請求項１１】
前記映像表示手段が、前記表示映像信号に基づいて、光源からの光の通過又は遮蔽を行う映像光路開閉手段を備えていることを特徴とする請求項９に記載の映像表示装置。
【発明の詳細な説明】
【技術分野】
【０００１】
本発明は、映像の表示技術に関し、より詳細には、１フィールド内で複数の情報を表示することが可能な映像表示装置及び映像表示制御装置に関する。
【背景技術】
【０００２】
近年、テレビスタジオ等の撮影現場では、人には視認され撮影カメラで撮影する映像には映らない間欠光によって、出演者に情報を提示する装置が使用され始めている（例えば、特許文献１等）。この装置は、出演者の台詞、演出者の指示等を出演者に伝える場合や、出演者と予め撮影された背景等とを後で合成する場合、間欠光によって、撮影カメラには映らない指示や背景を投射するものである。これによって、出演者は、文字（指示）、背景等を実際に見ることができるため、より自然な演技を行うことができる。
【０００３】
ここで、図１０を参照して、従来の間欠光による情報提示技術について説明する。図１０は、従来の間欠光による情報提示技術を説明するためのテレビスタジオの模式図である。なお、このテレビスタジオは、画像合成を行うために単色（例えば、クロマキーバックとなる青色）に塗られた壁（スクリーン）６０を背景としたスタジオであるとする。
【０００４】
図１０に示すように、このテレビスタジオでは、映像投射装置４０が、同一の同期信号で動作する撮影カメラ３０の内部に組み込まれている撮像デバイス（ＣＣＤ：Ｃｈａｒｇｅ−Ｃｏｕｐｌｅｄ Ｄｅｖｉｃｅｓ）の電子シャッタ（図示せず）が閉じている期間に、出演者Ｍに提示する情報を含んだ映像を壁６０に投射する。
【０００５】
このとき、映像投射装置４０は、撮影カメラ３０の電子シャッタが閉じている期間内に、映像投射装置４０の投影レンズの前に設置されている液晶シャッタ５０を開くことで、映像投射装置４０から投射される映像は、出演者Ｍには見えるが、撮影カメラ３０には撮影されないことになる。
【０００６】
これによって、撮影カメラ３０で撮影された映像には、映像投射装置４０が投射した映像が映らず、壁６０の単色（青色）をクロマキーバックとして、画像合成を行うことができる。また、出演者Ｍは、映像投射装置４０から投射される映像によって、情報を取得することができ、その映像を見ながら会話、演技等を行うことができるので、出演者Ｍの演技上の負担を軽くすることができる。
【０００７】
ここで、図１１を参照（適宜図１０参照）して、撮影カメラ３０の電子シャッタと、液晶シャッタ５０との各信号の関係について説明する。図１１は、電子シャッタと、液晶シャッタ５０との各信号の関係を示すタイムチャートである。ａは撮影カメラ３０の同期信号（垂直同期信号と水平同期信号とからなる複合同期信号）から分離した垂直同期信号、ｂは撮影カメラ３０の電子シャッタの開閉を制御する信号（電子シャッタ信号）、ｃは液晶シャッタの開閉を制御する信号（液晶シャッタ信号）、ｄは液晶シャッタの透過特性を示している。なお、図１１では、１フレームを２回に分けて伝送するインターレース処理における、１回の伝送期間（１６．６７ミリ秒＜ｍｓ＞）である１フィールド分のタイムチャートを示している。
【０００８】
図１１に示すように、撮影カメラ３０が、電子シャッタ信号ｂを、撮影カメラ３０の垂直同期信号ａで示される１フィールド期間で、ＯＦＦ、ＯＮすることで電子シャッタの開閉を行う。なお、ここでは、電子シャッタ信号ｂがＯＦＦの期間に電子シャッタを閉じ、ＯＮの期間に電子シャッタを開くこととする。そして、液晶シャッタ５０は、液晶シャッタ信号ｃが電子シャッタｂの閉じた期間（ＯＦＦの期間）内でＯＮにされることで、映像の投射を行う。これによって、液晶シャッタ５０は、撮影カメラ３０が電子シャッタを閉じた期間（ＯＦＦの期間）内で、映像を投射するため、この投射映像は、撮影カメラ３０には撮影されない。
【０００９】
なお、液晶シャッタ５０の透過特性ｄは、一般に、液晶シャッタ信号ｃに対する液晶シャッタ５０のレスポンスが遅いため、液晶シャッタ信号ｃをＯＮにできる期間は、電子シャッタ信号ｂがＯＦＦである期間よりも短くなってしまい、映像を投射する効率が悪くなっている。
【００１０】
そこで、最近では、液晶シャッタ５０の代わりに、ＤＭＤ（Ｄｉｇｉｔａｌ  Ｍｉｃｒｏｍｉｒｒｏｒ  Ｄｅｖｉｃｅ）や、ＧＬＶ（Ｇｒａｔｉｎｇ  Ｌｉｇｈｔ  Ｖａｌｖｅ）等の分割された可動ミラーである、高速で切り替え可能なミラー型投影素子を用いて、投射効率を高めている。さらに、ＤＭＤやＧＬＶを用いた映像投射装置では、映像を見ている人の視線が大きく移動した際に、目に焼き付いた残像が認識される現象を軽減する目的で、図１２に示すように、入力された１フィールドの映像（入力映像信号ａ）を、複数回（図１２では５回）高速スキャンすることで、１フィールド内の映像を分割した投射映像信号を生成し投射している。
【特許文献１】特開２００２−３４４７７５号公報（段落００４９〜００５６、図５）
【発明の開示】
【発明が解決しようとする課題】
【００１１】
従来の間欠光による情報提示技術では、画像合成を行うために、映像投射装置が、クロマキーバックとなる青色の壁に、撮影カメラには撮影されない映像を投射している。しかし、青色の壁は光の反射率が悪いため、視認性が悪く、出演者に提示する情報に色を付加しても、出演者がその色を認識することが困難であるという問題がある。
また、従来の間欠光による情報提示技術では、テレビスタジオの環境においては、壁に撮影用の照明が当たるため、映像投射装置によって壁に投射された情報は、出演者には見え難いという問題もある。
【００１２】
さらに、従来の間欠光による情報提示技術では、情報提示が行われる壁と、情報提示を行う映像投射装置との間に出演者が位置するため、出演者によって影となる部分は、壁に情報提示がなされず、出演者に情報の提示を行うことができないという問題がある。なお、この問題を回避するために、出演者と映像投射装置との間に映像透過型の情報提示面（透過型スクリーン）を設け、情報提示面の背面から映像を投射することが考えられる。この場合、情報提示面の背面から間欠光による情報提示を行うことで、撮影カメラにその情報は映らないが、情報提示面そのものが撮影カメラに撮影されるため、クロマキーバックによる画像合成を行うことができない。そこで、情報提示面にクロマキーバックとなる青色の色光を投射しておくことが考えられるが、出演者には色光と提示情報が同時に見えることとなり、提示された情報が見え難いという状態を解決する必要がある。
【００１３】
本発明は、以上のような課題を解決するためになされたものであり、出演者に情報を間欠光によって提示する情報提示技術において、撮影カメラの非撮影期間に提示される提示情報に色を付加しても、出演者がその情報を認識することができ、さらに提示情報の認識性を高めることが可能な映像表示装置及び映像表示制御装置を提供することを目的とする。
【課題を解決するための手段】
【００１４】
本発明は、前記目的を達成するために創案されたものであり、まず、請求項１に記載の映像表示制御装置は、基準同期信号に基づいて撮影動作する撮影カメラによって撮影を行う際に、前記撮影カメラによって撮影される映像信号の１フィールド期間を、撮影期間と非撮影期間とに時分割し、前記撮影期間に前記撮影カメラで撮影される色光を表示し、前記非撮影期間に前記撮影カメラで撮影されない映像を表示するための制御を行う映像表示制御装置であって、映像時分割手段と、映像表示切り替え手段と、色光表示切り替え手段とを備える構成とした。
【００１５】
かかる構成によれば、映像表示制御装置は、映像時分割手段によって、撮影カメラとの間で基準となる同期信号（基準同期信号）を基準として撮影される映像信号の１フィールド区間を、撮影期間と非撮影期間とに時分割する。例えば、映像表示制御装置は、入力される映像の読み出し速度を早めることで、１フィールド区間を、１フィールド区間以下の時間間隔となる映像信号に分割する。そして、映像表示制御装置は、映像表示切り替え手段によって、基準同期信号に基づいて、映像時分割手段で時分割された時分割映像信号が、撮影期間で非表示、非撮影期間で表示となる表示映像信号を生成する。
【００１６】
また、映像表示制御装置は、色光表示切り替え手段によって、基準同期信号を基準として、色光が、撮影期間で表示、非撮影期間で非表示となる色光の表示を制御する色光制御信号を生成する。このように生成された表示映像信号と、色光制御信号とを、映像表示手段と、色光表示手段とに出力することで、撮影カメラの撮影期間に色光を表示し、非撮影期間に映像を表示することが可能になる。
【００１７】
また、請求項２に記載の映像表示装置は、基準同期信号に基づいて撮影動作する撮影カメラによって撮影を行う際に、前記撮影カメラによって撮影される映像信号の１フィールド期間を、撮影期間と非撮影期間とに時分割し、前記撮影期間に前記撮影カメラで撮影される色光を表示し、前記非撮影期間に前記撮影カメラで撮影されない映像を表示する映像表示装置であって、請求項１に記載の映像表示制御装置と、映像表示手段と、色光表示手段とを備える構成とした。
【００１８】
かかる構成によれば、映像表示装置は、映像表示手段によって、映像表示制御装置で生成された表示映像信号を表示し、色光表示手段によって、映像表示制御装置で生成された色光制御信号に基づいて色光を表示することで、撮影カメラの撮影期間に色光を表示し、非撮影期間に映像を表示することが可能になる。
【００１９】
さらに、請求項３に記載の映像表示装置は、請求項２に記載の映像表示装置において、前記映像表示手段が、光源からの光を反射させることで映像の表示を行う可動ミラーを備えていることを特徴とする。
【００２０】
かかる構成によれば、映像表示装置は、映像表示手段が可動ミラーを備え、光源からの光を反射させることで、映像の表示を行う。この映像表示手段は、可動ミラーの角度を調整することで、光源からの光の反射光の向きを変え、映像の表示を行う。なお可動ミラーは、素子内が複数の微小ミラーに分割され、個々の微小ミラーが高速に切り替え可能なミラー型投影素子である。これによって、映像表示手段は、時分割された映像を高速に切り替えて表示することができる。
【００２１】
また、請求項４に記載の映像表示装置は、請求項２に記載の映像表示装置において、前記映像表示手段が、前記表示映像信号に基づいて、光源からの光の通過又は遮蔽を行う映像光路開閉手段を備えていることを特徴とする。
【００２２】
かかる構成によれば、映像表示装置は、表示映像信号に基づいて、映像光路開閉手段が、光源からの光を通過させるか、あるいは遮断することで、分割された単位毎に映像を表示する。なお、映像光路開閉手段は、表示映像信号に基づいて、光の経路の開閉を行うことができるものであればよく、例えば、液晶シャッタ、メカニカルシャッタ等である。
【００２３】
さらに、請求項５に記載の映像表示装置は、請求項２乃至請求項４のいずれか一項に記載の映像表示装置において、前記色光表示手段が可動ミラーを備え、前記可動ミラーが、前記色光制御信号に基づいて、色光源からの色光を反射させることで前記色光の表示を行うことを特徴とする。
【００２４】
かかる構成によれば、映像表示装置は、色光制御信号に基づいて、色光表示手段の可動ミラーの角度を調整することで、色光源からの光の反射光の向きを変え、色光の表示を行う。これによって、映像表示手段は、色光の表示を高速に切り替えて表示することができる。
【００２５】
また、請求項６に記載の映像表示装置は、請求項２乃至請求項４のいずれか一項に記載の映像表示装置において、前記色光表示手段が色光源からの光の通過又は遮蔽を行う色光路開閉手段を備え、前記色光表示手段が、前記色光制御信号に基づいて、前記色光路開閉手段を開閉させることで前記色光の表示の切り替えを行うことを特徴とする。
【００２６】
かかる構成によれば、映像表示装置は、色光表示手段によって、撮影カメラの撮影期間に色光路開閉手段（例えば、液晶シャッタ、メカニカルシャッタ等）を開けることで、撮影期間に色光が表示され、撮影カメラに撮影される。また、映像表示装置は、色光表示手段によって、撮影カメラの非撮影期間に色光路開閉手段を閉じることで、非撮影期間に色光が表示されない。これによって、非撮影期間に映像を表示する場合に、当該映像の色と色光とが混じることがない。
【００２７】
さらに、請求項７に記載の映像表示装置は、請求項２乃至請求項６のいずれか一項に記載の映像表示装置において、前記色光表示手段は、発光ダイオードを色光源として前記色光を表示することを特徴とする。
【００２８】
かかる構成によれば、映像表示装置は、色光表示手段が、単色光源で特定波長の照射が可能な発光ダイオード（ＬＥＤ）により色光を表示する。これによって、映像表示装置は、例えば、画像合成を行う際に用いるブルーバックとなる青色を表示することができる。
【００２９】
また、請求項８に記載の映像表示制御装置は、基準同期信号に基づいて撮影動作する撮影カメラによって撮影を行う際に、前記撮影カメラによって撮影される映像信号の１フィールド期間を、撮影期間と非撮影期間とに時分割し、前記撮影期間に前記撮影カメラで撮影される第１の映像を表示し、前記非撮影期間に前記撮影カメラで撮影されない第２の映像を表示するための制御を行う映像表示制御装置であって、第１の映像時分割手段と、第２の映像時分割手段と、映像表示切り替え手段とを備える構成とした。
【００３０】
かかる構成によれば、映像表示制御装置は、第１の映像時分割手段によって、撮影カメラとの間で基準となる同期信号（基準同期信号）により撮影される第１の映像信号の１フィールド区間を時分割する。また、第２の映像時分割手段によって、基準同期信号により撮影される第２の映像信号の１フィールド区間を時分割する。例えば、映像表示制御装置は、入力される映像の読み出し速度を早めることで、１フィールド区間を、１フィールド区間以下の時間間隔となる映像信号に分割する。そして、映像表示制御装置は、映像表示切り替え手段によって、第１の映像時分割手段で時分割された映像（第１の時分割映像信号）と、第２の映像時分割手段で分割された映像（第２の時分割映像信号）とから、基準同期信号に基づいて、それぞれ撮影カメラの撮影期間又は非撮影期間のいずれか一方で表示する表示映像信号を生成する。このように生成された表示映像信号を、映像表示手段に出力することで、撮影カメラの撮影期間と非撮影期間とで異なる映像を表示することが可能になる。
【００３１】
さらに、請求項９に記載の映像表示装置は、基準同期信号に基づいて撮影動作する撮影カメラによって撮影を行う際に、前記撮影カメラによって撮影される映像信号の１フィールド期間を、撮影期間と非撮影期間とに時分割し、前記撮影期間に前記撮影カメラで撮影される第１の映像を表示し、前記非撮影期間に前記撮影カメラで撮影されない第２の映像を表示する映像表示装置であって、請求項８に記載の映像表示制御装置と、映像表示手段とを備える構成とした。
【００３２】
かかる構成によれば、映像表示装置は、映像表示手段によって、映像表示制御装置で生成された表示映像信号を表示する。これによって、撮影カメラの撮影期間と非撮影期間とで異なる映像を表示することが可能になる。
【００３３】
また、請求項１０に記載の映像表示装置は、請求項９に記載の映像表示装置において、前記映像表示手段が、光源からの光を反射させることで映像の表示を行う可動ミラーを備えていることを特徴とする。
【００３４】
かかる構成によれば、映像表示装置は、映像表示手段が可動ミラーを備え、光源からの光を反射させることで、映像の表示を行う。これによって、映像表示手段は、時分割された映像を高速に切り替えて表示することができる。
【００３５】
さらに、請求項１１に記載の映像表示装置は、請求項９に記載の映像表示装置において、前記映像表示手段が、前記表示映像信号に基づいて、光源からの光の通過又は遮蔽を行う映像光路開閉手段を備えていることを特徴とする。
【００３６】
かかる構成によれば、映像表示装置は、表示映像信号に基づいて、映像光路開閉手段が、光源からの光を通過させるか、あるいは遮断することで、分割された単位毎に映像を表示する。なお、映像光路開閉手段は、例えば、液晶シャッタ、メカニカルシャッタ等である。
【発明の効果】
【００３７】
請求項１又は請求項２に記載の発明によれば、映像と色光とを、１フィールド区間内で切り替えて表示することができる。これによって、テレビスタジオ等で、撮影カメラの撮影期間にブルーバックとなる青色を表示し、非撮影期間に出演者のみに認識可能な映像を表示することができ、撮影カメラで撮影された映像のブルーバック部分に対して他の映像を合成することが可能になる。また、本発明によれば、撮影カメラの非撮影期間には、色光を表示しないため、出演者に提示する非撮影期間における映像と色が混ざらない。これによって、非撮影期間に提示される提示情報に色を付加しても、出演者がその情報を認識することができるとともに、提示情報の認識性を高めることができる。
【００３８】
また、本発明によれば、撮影カメラの非撮影期間に、出演者の台詞や視線位置を示す映像を表示することで、出演者の演技上の負担が減るとともに、出演者の視線も自然なものとなる。さらに、本発明によれば、映像と色光とを１台の装置で表示することができるので、機材を少なくすることができる。例えば、透過型スクリーンに背面から投射する場合、背面側の狭い設置スペースであっても設置することが可能になる。
【００３９】
請求項３に記載の発明によれば、映像表示装置は、映像表示手段に可動ミラーを備えているため、映像の切り替え速度に追従して、高速に投射の切り替えを行うことができる。これによって、投射効率が高まり、視認精度を高めることができる。
【００４０】
請求項４に記載の発明によれば、映像表示装置は、液晶シャッタ等の映像光路開閉手段を開閉することで、映像をその分割された単位毎に切り替えて出力することができる。また、映像光路開閉手段として、液晶シャッタを用いることで、装置を低消費電力で動作させることが可能になる。
【００４１】
請求項５に記載の発明によれば、映像表示装置は、色光表示手段に可動ミラーを備えているため、色光制御信号による切り替え速度に追従して、高速に表示の切り替えを行うことができる。
【００４２】
請求項６に記載の発明によれば、映像表示装置は、液晶シャッタ等の色光路開閉手段を開閉することで、撮影カメラの撮影期間のみに色光を表示させることができる。また、色光路開閉手段として、液晶シャッタを用いることで、装置を低消費電力で動作させることが可能になる。
【００４３】
請求項７に記載の発明によれば、映像表示装置は、発光ダイオードにより色光を表示するため、単色光源で特定波長の照射が可能になる。これによって、画像合成を行う際に用いるブルーバックとなる青色を表示することができる。
【００４４】
請求項８又は請求項９に記載の発明によれば、異なる２つの映像を、１フィールド区間内で区分して表示することができる。これによって、例えば、テレビスタジオ等で、一方の映像を撮影カメラで撮影するための映像として表示し、他方の映像を撮影カメラには撮影されずに出演者のみに認識可能な映像として表示することができる。また、撮影カメラに撮影される映像（カメラ用映像）と、撮影カメラには撮影されない映像（非カメラ用映像）とは、同一時間で重なっていないため、出演者にとって視認しやすい映像となる。また、本発明によれば、映像表示装置は、異なる映像を１台の装置で表示することができるので、機材を少なくすることができる。例えば、透過型スクリーンに背面から投射する場合、背面側の狭い設置スペースであっても設置することが可能になる。
【００４５】
請求項１０に記載の発明によれば、映像表示装置は、映像表示手段に可動ミラーを備えているため、映像の切り替え速度に追従して、高速に投射の切り替えを行うことができる。これによって、投射効率が高まり、視認精度を高めることができる。
【００４６】
請求項１１に記載の発明によれば、映像表示装置は、液晶シャッタ等の映像光路開閉手段を開閉することで、映像をその分割された単位毎に切り替えて出力することができる。また、映像光路開閉手段として、液晶シャッタを用いることで、装置を低消費電力で動作させることが可能になる。
【発明を実施するための最良の形態】
【００４７】
以下、本発明の実施の形態について図面を参照して説明する。
［映像撮影システムの概要］
まず、図６を参照して、テレビスタジオ等の撮影現場で用いる映像撮影システムの概要について説明する。図６は、本発明に係る映像表示装置を含んだ映像撮影システムの全体構成を示す模式図である。映像撮影システム１は、映像表示装置１０と、透過型スクリーン２０と、撮影カメラ３０とを備えている。
【００４８】
映像表示装置１０は、撮影カメラ３０に撮影される映像（カメラ用映像）と、撮影カメラ３０には撮影されない映像（非カメラ用映像）とを、撮影カメラ３０と同一の同期信号（基準同期信号）ＳＧに基づいて、撮影カメラ３０の撮影期間と非撮影期間とで切り替えて表示（投射）するものである。また、映像表示装置１０から表示される映像（カメラ用映像及び非カメラ用映像）は、透過型スクリーン２０を介して、出演者Ｍに提示される。
【００４９】
透過型スクリーン２０は、表示面に対して背面側に設置された映像表示装置１０から投射された映像を、前面の表示面に透過して表示する、背面投射方式の表示装置である。
なお、ここでは、映像表示装置１０からの映像を、背面投射方式で表示することとしているが、映像表示装置１０から前面投射方式で映像を表示する場合は、透過型スクリーン２０を反射型スクリーンとし、出演者Ｍ側から映像を表示することとしてもよい。ただし、出演者Ｍがスクリーンの前面に立つ場合は、背面投射方式が望ましい。
【００５０】
撮影カメラ３０は、透過型スクリーン２０に表示された映像等を撮影するものである。この撮影カメラ３０は、映像表示装置１０と同一の同期信号（基準同期信号）ＳＧに基づいて、内部の撮像デバイス（ＣＣＤ）の電子シャッタ（図示せず）が開いている期間に撮影を行い、電子シャッタが閉じている期間は撮影を行わない。なお、この撮影カメラ３０は、ニュース取材用小型カメラ、スタジオ用大型カメラ、ハイビジョン用カメラ等、基準同期信号に基づいて、撮影期間と非撮影期間の切り替えを行えるものであればよい。
【００５１】
ここで、図７及び図８を参照（適宜図６参照）して、映像表示装置１０が表示する映像と、撮影カメラ３０が撮影する映像について説明する。図７は、映像表示装置１０が透過型スクリーン２０に表示した映像の一例を示す図であって、（ａ）は撮影カメラ３０の非撮影期間に表示される映像、（ｂ）は撮影カメラ３０の撮影期間に表示される映像である。図８は、撮影カメラ３０が撮影した映像の一例を示す図である。
【００５２】
ここでは、映像表示装置１０は、撮影カメラ３０の非撮影期間に出演者Ｍに提示する映像ＳＡとして、例えば天気図等を表示する（図７（ａ）参照）。また、映像表示装置１０は、撮影カメラ３０の撮影期間に他の映像ＳＢとして、例えば単一の色光を表示する（図７（ｂ）参照）。なお、ここでは、映像表示装置１０は、撮影カメラ３０の撮影期間に、単一の色光として、クロマキーバックとなる青色の光を表示するものとする。
【００５３】
このとき、撮影カメラ３０は、撮影期間のみ撮影を行うため、図８に示すように、透過型スクリーン２０にクロマキーバックとなる青色（ブルーバック）のみの映像ＳＢを含んだ映像ＣＡが撮影される。この撮影カメラ３０で撮影された映像ＣＡには、映像ＳＢ部分が青色で撮影されているので、例えば、図９に示すように、青色の領域に対してＣＧ（Ｃｏｍｐｕｔｅｒ  Ｇｒａｐｈｉｃｓ）等により他の映像を合成することで、番組用の映像ＣＢを作成することができる。
【００５４】
なお、ここでは、映像表示装置１０が、撮影カメラ３０に撮影される映像（カメラ用映像）と、撮影カメラ３０には撮影されない映像（非カメラ用映像）として、ブルーバックの色光と、出演者Ｍに提示する映像とを表示することとしているが、異なる映像を表示することとしてもよい。あるいは、カメラ用映像又は非カメラ用映像のいずれか一方を表示することとしてもよい。
【００５５】
［映像表示装置の構成：第１の実施の形態］
次に、図１を参照して、本発明の第１の実施の形態に係る映像表示装置の構成について説明する。図１は、映像表示装置の構成を示すブロック図である。図１に示すように、映像表示装置１０は、映像（映像信号）と色光とを切り替えて表示するものである。ここでは、映像表示装置１０は、映像時分割手段１１と、同期制御手段１２と、映像表示切り替え手段１３と、色光表示切り替え手段１４と、映像表示手段１５と、色光表示手段１６とを備えている。
【００５６】
映像時分割手段１１は、外部からの同期信号（基準同期信号）に基づいて、入力された映像信号の１フィールド区間を時分割するものである。なお、この同期信号は、撮影カメラ３０（図６参照）と同期を行うための信号である。ここでは、映像時分割手段１１は、同期分離回路１１ａと、垂直同期分離回路１１ｂと、書き込みタイミング信号発生回路１１ｃと、読み出しタイミング信号発生回路１１ｄと、走査変換回路１１ｅとを備えている。
【００５７】
同期分離回路１１ａは、入力された映像信号から、映像信号の同期の基準となる垂直同期信号と水平同期信号とからなる複合同期信号を分離するものである。ここで分離された複合同期信号は、垂直同期分離回路１１ｂ及び書き込みタイミング信号発生回路１１ｃに出力される。なお、垂直同期信号とは、映像を表示する際の１画面の開始を示す信号である。また、水平同期信号とは、映像を表示する際の画面の水平方向における走査の開始を示す信号である。
【００５８】
垂直同期分離回路１１ｂは、同期分離回路１１ａで映像信号から分離された複合同期信号から、垂直同期信号を分離するものである。ここで分離された垂直同期信号は、書き込みタイミング信号発生回路１１ｃに出力される。
【００５９】
書き込みタイミング信号発生回路１１ｃは、同期分離回路１１ａから出力される複合同期信号と、垂直同期分離回路１１ｂから出力される垂直同期信号とを入力し、映像信号を後記する走査変換回路１１ｅに書き込むタイミングを示す、書き込みタイミング信号を生成するものである。ここで生成された書き込みタイミング信号は、走査変換回路１１ｅに出力される。
【００６０】
読み出しタイミング信号発生回路１１ｄは、書き込みタイミング信号発生回路１１ｃが生成した書き込みタイミング信号によって、走査変換回路１１ｅ内に書き込まれた映像信号を読み出すタイミングを示す、読み出しタイミング信号を生成するものである。ここで生成された読み出しタイミング信号は、走査変換回路１１ｅに出力される。なお、この読み出しタイミング信号発生回路１１ｄは、外部から入力される同期信号と、後記する同期制御手段１２から出力される電子シャッタとの同期信号を示す電子シャッタ同期信号とに基づいて、撮影カメラ３０（図６参照）の電子シャッタのタイミングに同期した、映像信号の周波数の倍速、例えば５倍速の読み出しタイミング信号を生成する。なお、この読み出しタイミング信号は、ｎ倍速（ｎは２以上の整数）とすることができる。
【００６１】
走査変換回路１１ｅは、入力された映像信号を、書き込みタイミング信号発生回路１１ｃで生成された書き込みタイミング信号に基づいて、図示していないメモリに書き込み、読み出しタイミング信号発生回路１１ｄで生成された読み出しタイミング信号に基づいて、当該映像信号をメモリから読み出して出力するものである。なお、走査変換回路１１ｅで読み出された映像信号は、例えば、５倍速の読み出しタイミング信号によって読み出された場合、１フィールド区間内の映像信号が５つに分割されたことになる。この走査変換回路１１ｅで分割された映像信号（時分割映像信号）は、映像表示切り替え手段１３の信号切り替え回路１３ａに出力される。
【００６２】
同期制御手段１２は、外部からの同期信号に基づいて、撮影カメラ３０（図６参照）の電子シャッタとの同期信号を示す電子シャッタ同期信号を生成するものである。ここでは、同期制御手段１２は、垂直同期分離回路１２ａと、遅延回路１２ｂとを備えている。
【００６３】
垂直同期分離回路１２ａは、同期信号から、垂直同期信号を分離するものである。ここで分離された垂直同期信号は、遅延回路１２ｂに出力される。
【００６４】
遅延回路１２ｂは、予め定めた同期信号と電子シャッタ信号との遅延量とに基づいて、垂直同期分離回路１２ａから出力される垂直同期信号を遅延して、電子シャッタ同期信号を生成するものである。ここで生成された電子シャッタ同期信号は、映像時分割手段１１の読み出しタイミング信号発生回路１１ｄと、映像表示切り替え手段１３の読み出し時間設定回路１３ｂとに出力される。なお、この遅延量は、外部から設定される形態であっても構わない。また、この同期制御手段１２は、外部から電子シャッタ同期信号が入力される場合は、映像表示装置１０の構成から外すことができる。
【００６５】
映像表示切り替え手段１３は、映像時分割手段１１で時分割された映像信号（時分割映像信号）を、撮影カメラ３０（図６）における電子シャッタのＯＮ（撮影期間）又はＯＦＦ（非撮影期間）のタイミングで切り替える表示映像信号を生成するものである。ここでは、映像表示切り替え手段１３は、信号切り替え回路１３ａと、読み出し時間設定回路１３ｂとを備えている。
【００６６】
信号切り替え回路１３ａは、映像時分割手段１１で時分割された映像信号（時分割映像信号）を、読み出し時間設定回路１３ｂから出力される、電子シャッタのＯＮ／ＯＦＦを示す電子シャッタ信号に基づいて、切り替えて出力するものである。ここでは、信号切り替え回路１３ａは、電子シャッタ信号がＯＦＦ（非撮影期間）のときは、映像時分割手段１１で時分割された時分割映像信号を出力する。また、信号切り替え回路１３ａは、電子シャッタ信号がＯＮ（撮影期間）のときは、映像時分割手段１１で時分割された時分割映像信号の出力を停止する。なお、この信号切り替え回路１３ａで切り替えられた映像信号（表示映像信号）は、映像表示手段１５の投影素子駆動回路１５ａに出力される。
【００６７】
読み出し時間設定回路１３ｂは、電子シャッタのＯＮ（撮影期間）又はＯＦＦ（非撮影期間）のタイミングを示す電子シャッタ信号を生成するものである。ここでは、読み出し時間設定回路１３ｂは、同期制御手段１２から出力される電子シャッタとの同期信号を示す電子シャッタ同期信号と、予め定めた電子シャッタのＯＮの時間、及び電子シャッタのＯＦＦの時間とに基づいて、電子シャッタのＯＮ／ＯＦＦのタイミングを示す電子シャッタ信号を生成する。ここで生成された電子シャッタ信号は、信号切り替え回路１３ａと、色光表示切り替え手段１４の色光切り替え回路１４ａとに出力される。この電子シャッタ信号に基づいて、信号切り替え回路１３ａと色光切り替え回路１４ａは、撮影カメラのＯＮ（撮影期間）と、ＯＦＦ（非撮影期間）とを判定することが可能になる。
【００６８】
色光表示切り替え手段１４は、色光表示手段１６に対して、色光を表示するかどうかを制御する色光制御信号を生成するものである。ここでは、色光表示切り替え手段１４は、色光切り替え回路１４ａを備えている。
【００６９】
色光表示切り替え回路１４ａは、読み出し時間設定回路１３ｂから出力される、電子シャッタのＯＮ／ＯＦＦを示す電子シャッタ信号に基づいて、色光表示手段１６に対して、電子シャッタのＯＮ（撮影期間）又はＯＦＦ（非撮影期間）の、いずれか一方のタイミングで色光の表示を行う色光制御信号を生成する。ここでは、色光切り替え回路１４ａは、色光表示手段１６に色光制御信号を出力し、表示の指示を行う。
【００７０】
映像表示手段１５は、映像表示切り替え手段１３で切り替えられた表示映像信号を表示するものである。ここでは、映像表示手段１５は、投影素子駆動回路１５ａと、投影素子１５ｂと、カラーフィルタ１５ｃと、光源１５ｄとを備えている。
【００７１】
投影素子駆動回路１５ａは、信号切り替え回路１３ａから出力される映像信号（表示映像信号）に基づいて、投影素子１５ｂの可動ミラーを駆動する駆動信号を生成するものである。この駆動信号は投影素子１５ｂとカラーフィルタ１５ｃとに出力される。
【００７２】
投影素子１５ｂは、分割された複数の可動ミラーを備え、投影素子駆動回路１５ａから出力される駆動信号に基づいて、光源１５ｄからの入射光に対する反射光の方向を可動ミラーにより切り替えることで、表示映像を出力するものである。この投影素子１５ｂには、例えば、ＤＭＤ（Ｄｉｇｉｔａｌ  Ｍｉｃｒｏｍｉｒｒｏｒ  Ｄｅｖｉｃｅ）や、ＧＬＶ（Ｇｒａｔｉｎｇ  Ｌｉｇｈｔ  Ｖａｌｖｅ）等の一般的な素子を用いることができる。このように、可動ミラーを備えた素子を用いることで、液晶シャッタよりも高速に開閉動作を行うことができるとともに、映像の透過効率を高めることができる。
【００７３】
カラーフィルタ１５ｃは、投影素子駆動回路１５ａから出力される駆動信号に基づいて、光源１５ｄからの光を、ＲＧＢ（赤、緑、青）の各色に分光するものである。ここで分光されたＲＧＢの各色光を入射光として、投影素子１５ｂが、映像を表示する。なお、このカラーフィルタ１５ｃは、プリズム等の分光手段であってもよい。
光源（ランプ）１５ｄは、投影素子１５ｂに対する入射光を発生するものであって、例えば、ＵＨＥ（超高圧水銀）ランプを用いる。
【００７４】
色光表示手段１６は、色光表示切り替え手段１４から出力される色光制御信号に基づいて、色光の表示を行うものである。ここでは、色光表示手段１６は、ＬＥＤ駆動回路１６ａと、ＬＥＤ（色光源）１６ｂとを備えている。
【００７５】
ＬＥＤ駆動回路１６ａは、色光表示切り替え手段１４の色光切り替え回路１４ａから出力される色光制御信号に基づいて、ＬＥＤ（色光源）１６ｂを駆動する駆動信号を生成するものである。この駆動信号は、ＬＥＤ（色光源）１６ｂに出力される。ここでは、この駆動信号における電子シャッタがＯＮの期間（撮影期間）において、ＬＥＤ（色光源）１６ｂが色光の表示を行う。
【００７６】
ＬＥＤ（色光源）１６ｂは、発光ダイオード（ＬＥＤ：Ｌｉｇｈｔ  Ｅｍｉｔｔｉｎｇ  Ｄｉｏｄｅ）で、必要な明るさを得るために複数個用いることができる。ＬＥＤは電流を制御することにより、高速にＯＮ／ＯＦＦ制御することができる素子であるため、電子シャッタがＯＮの期間（撮影期間）に同期して発光させることができる。
【００７７】
ここで、ＬＥＤ（色光源）１６ｂを、青色の光を発光するＬＥＤとすることで、電子シャッタがＯＮ（撮影期間）のときには、青色の色光を表示し、電子シャッタがＯＦＦ（非撮影期間）のときには、映像表示手段１５によって映像を表示することで、図６に示した映像撮影システム１を実現することが可能になる。
【００７８】
なお、映像表示手段１５が表示する表示映像と、色光表示手段１６が表示する色光とを、同一の光軸上で表示する場合は、図５に示すように、ハーフミラー６１を備えた光軸変更手段６０を用いることで、同一のレンズから表示映像及び色光を表示することができる。
【００７９】
以上説明したように、映像表示装置１０を構成することで、映像表示装置１０は、撮影カメラにおける電子シャッタのＯＮ／ＯＦＦのタイミングに合わせて、映像の１フィールド区間において、映像と色光とを切り替えて表示することができる。例えば、映像表示装置１０は、電子シャッタがＯＦＦの期間、すなわち撮影カメラの非撮影期間に映像を表示し、電子シャッタがＯＮの期間、すなわち撮影カメラの撮影期間に色光を表示することで、撮影カメラに撮影されない映像を、出演者に提示することができる。また、色光をクロマキーバックとなる青色とすることで、撮影カメラで撮影された映像に対して、画像合成を行うことが可能になる。
【００８０】
また、映像表示装置１０は、映像によって情報提示を行っている期間、色光を表示していないので、出演者はその提示された情報を認識しやすくなるとともに、提示する情報に色を付加しても、出演者がその色を認識することができる。
【００８１】
なお、本発明はこれに限定されるものではない。例えば、ここでは、映像表示手段１５の投影素子１５ｂに可動ミラーを、色光表示手段１６にＬＥＤ（色光源）１６ｂを用いたが、投影素子１５ｂに液晶シャッタ（映像光路開閉手段；図示せず）を用い、ＬＥＤ（色光源）１６ｂに一般光源に液晶シャッタ（色光路開閉手段；図示せず）を組み合わせたものを用い、投影素子駆動回路１５ａ及びＬＥＤ駆動回路１６ａが、電子シャッタの開閉に合わせて液晶シャッタ（映像光路開閉手段、色光路開閉手段）を開閉させることとしてもよい。ここで、液晶シャッタとは、液晶分子への電界の印加又は除去により、液晶分子の配列変化を起こさせることにより、光の透過や遮断を行う素子のことである。また、これらの映像や色光の切り替えにメカニカルシャッタを用いることとしてもよい。
さらに、映像表示装置１０から、映像表示手段１５及び色光表示手段１６を省き、映像表示制御装置２０として分離して構成することとしてもよい。
【００８２】
［映像表示装置の動作］
次に、図１及び図２を参照して、本発明の第１の実施の形態に係る映像表示装置の動作について説明する。図２は、映像表示装置の動作を説明するための主要な信号を示すタイムチャートである。
映像表示装置１０には、映像時分割手段１１に映像信号である映像信号ａが入力されるものとする。さらに、映像表示装置１０には、撮影カメラ３０（図６参照）と同一の同期信号が、同期制御手段１２に入力されるものとする。なお、図２では、図を簡略化するため映像信号ａには水平同期信号を図示していない。
【００８３】
（映像時分割ステップ）
まず、映像表示装置１０は、映像時分割手段１１の同期分離回路１１ａによって、映像信号（図２の「映像信号ａ」）から、垂直同期信号と水平同期信号とからなる複合同期信号を分離する。そして、垂直同期分離回路１１ｂによって、複合同期信号から、垂直同期信号を分離する。また、映像表示装置１０は、書き込みタイミング信号発生回路１１ｃによって、同期分離回路１１ａで分離された複合同期信号と、垂直同期分離回路１１ｂで分離された垂直同期信号とに基づいて、走査変換回路１１ｅに対する書き込みタイミング信号を生成する。そして、映像表示装置１０は、走査変換回路１１ｅによって、書き込みタイミング信号を基準として、映像信号ａを図示していないメモリに書き込む。
【００８４】
また、映像表示装置１０は、同期制御手段１２の垂直同期分離回路１２ａによって、同期信号から垂直同期信号（図２の「撮影カメラの垂直同期信号ｂ」）を分離する。そして、映像表示装置１０は、遅延回路１２ｂによって、予め定めた同期信号と電子シャッタ信号との遅延量に基づいて、垂直同期分離回路１２ａから出力される垂直同期信号を遅延させる（図２の「遅延された垂直同期信号ｃ」）。これによって、遅延された垂直同期信号は、電子シャッタのＯＮ／ＯＦＦを示す電子シャッタ信号（図２の「撮影カメラの電子シャッタ信号ｄ」）と同期した信号（電子シャッタ同期信号）となる。
【００８５】
そして、映像表示装置１０は、映像時分割手段１１の読み出しタイミング信号発生回路１１ｄによって、外部から入力される同期信号と、同期制御手段１２から入力される電子シャッタ同期信号とに基づいて、電子シャッタのタイミングに同期した読み出しタイミング信号を生成する。そして、走査変換回路１１ｅが、その読み出しタイミング信号に基づいて、図示していないメモリから映像信号（図２の「映像信号ａ」）を分割して読み出す（図２の「走査変換回路の時分割映像信号ｅ」）。
【００８６】
（映像・色光表示切り替えステップ）
また、映像表示装置１０は、映像表示切り替え手段１３において、読み出し時間設定回路１３ｂによって、遅延回路１２ｂで遅延された垂直同期信号から、電子シャッタのＯＮ（撮影期間）又はＯＦＦ（非撮影期間）のタイミングを示す電子シャッタ信号を生成する。この電子シャッタ信号は、図２の撮影カメラの電子シャッタ信号ｄと同一の信号となる。そして、映像表示装置１０は、信号切り替え回路１３ａによって、時分割映像信号ｅで電子シャッタのＯＦＦの期間（非撮影期間）に相当する表示映像信号を出力する（図２の「表示映像信号ｆ」）。
【００８７】
また、映像表示装置１０は、色光表示切り替え手段１４の色光切り替え回路１４ａによって、電子シャッタ信号ｄと同じ、電子シャッタのＯＮの期間（撮影期間）にＯＮとなる、ＬＥＤ（色光源）１６ｂに対する色光表示の指示を示す色光制御信号（図２の「色光制御信号ｇ」）を生成する。
【００８８】
（映像・色光表示ステップ）
そして、映像表示装置１０は、映像表示手段１５の投影素子駆動回路１５ａによって、信号切り替え回路１３ａから出力される映像信号（表示映像信号ｆ）から、投影素子１５ｂの可動ミラーを駆動する駆動信号を生成する。
そして、映像表示装置１０は、投影素子１５ｂによって、投影素子駆動回路１５ａで生成された駆動信号に基づいて映像を表示する。
【００８９】
また、映像表示装置１０は、色光表示手段１６のＬＥＤ駆動回路１６ａによって、色光表示切り替え回路１４ａから出力される色光制御信号ｇから、ＬＥＤ（色光源）１６ｂを駆動する駆動信号を生成する。
そして、映像表示装置１０は、ＬＥＤ（色光源）１６ｂによって、ＬＥＤ駆動回路１６ａで生成された駆動信号に基づいて色光を表示する。
【００９０】
以上の動作によって、映像表示装置１０は、映像の１フィールド区間を時分割して、撮影カメラの電子シャッタのタイミングに合わせて、映像と色光とを切り替えて表示することができる。
これによって、例えば、撮影カメラの撮影期間に表示する色光を、クロマキーバックとなる青色（ブルーバック）とすることで、図６に示すように、撮影カメラ３０で撮影された透過形スクリーン２０に映されたブルーバックをキー信号（切り抜きのための信号）として、画像合成を行うことで、図９に示した合成映像ＣＢを生成することができる。
【００９１】
［映像表示装置の構成：第２の実施の形態］
次に、図３を参照して、本発明の第２の実施の形態に係る映像表示装置の構成について説明する。図３は、映像表示装置の構成を示すブロック図である。図３に示すように、映像表示装置１０Ｂは、２つの映像（映像信号）を切り替えて表示映像として出力するものである。ここでは、映像表示装置１０Ｂは、第１の映像時分割手段１１Ａと、第２の映像時分割手段１１Ｂと、同期制御手段１２と、映像表示切り替え手段１３Ｂと、映像表示手段１５とを備えている。
【００９２】
映像表示装置１０Ｂは、図１で説明した映像表示装置１０の構成から色光表示切り替え手段１４と、色光表示手段１６とを省き、映像時分割手段１１を２つ（１１Ａ、１１Ｂ）備えている。また、映像表示装置１０Ｂは、図１の映像表示切り替え手段１３を、その機能を変更した映像表示切り替え手段１３Ｂに代えて構成している。
映像表示切り替え手段１３Ｂ以外の構成は、図１で説明した映像表示装置１０の構成と同一のものであるので、同一の符号を付し説明を省略する。なお、映像時分割手段１１Ａと、映像時分割手段１１Ｂに入力される映像信号は、それぞれ異なる映像信号である。
【００９３】
映像表示切り替え手段１３Ｂは、映像時分割手段１１Ａと、映像時分割手段１１Ｂとでそれぞれ分割された映像信号（時分割映像信号）を、撮影カメラ３０（図６）における電子シャッタのＯＮ（撮影期間）又はＯＦＦ（非撮影期間）のタイミングで切り替えて出力するものである。ここでは、映像表示切り替え手段１３Ｂは、信号切り替え回路１３ａ2と、読み出し時間設定回路１３ｂ2とを備えている。
【００９４】
信号切り替え回路１３ａ2は、映像時分割手段１１Ａと、映像時分割手段１１Ｂとでそれぞれ時分割された映像信号（時分割映像信号）を、読み出し時間設定回路１３ｂ2から出力される、電子シャッタのＯＮ／ＯＦＦを示す電子シャッタ信号に基づいて、切り替えて出力するものである。ここでは、信号切り替え回路１３ａ2は、電子シャッタ信号がＯＦＦ（非撮影期間）のときは、映像時分割手段１１Ａで時分割された時分割映像信号を出力する。また、信号切り替え回路１３ａ2は、電子シャッタ信号がＯＮ（撮影期間）のときは、映像時分割手段１１Ｂで時分割された時分割映像信号を出力する。なお、この信号切り替え回路１３ａ2で切り替えられた映像信号（表示映像信号）は、映像表示手段１５の投影素子駆動回路１５ａに出力される。
【００９５】
読み出し時間設定回路１３ｂ2は、電子シャッタのＯＮ（撮影期間）又はＯＦＦ（非撮影期間）のタイミングを示す電子シャッタ信号を生成するものである。ここでは、読み出し時間設定回路１３ｂ2は、同期制御手段１２から出力される電子シャッタとの同期信号を示す電子シャッタ同期信号と、予め定めた電子シャッタのＯＮの時間、及び電子シャッタのＯＦＦの時間とに基づいて、電子シャッタのＯＮ／ＯＦＦのタイミングを示す電子シャッタ信号を生成する。ここで生成された電子シャッタ信号は、信号切り替え回路１３ａ2に出力される。この電子シャッタ信号に基づいて、信号切り替え回路１３ａ2は、撮影カメラのＯＮ（撮影期間）と、ＯＦＦ（非撮影期間）とを判定することが可能になる。
【００９６】
以上説明したように、映像表示装置１０Ｂを構成することで、映像表示装置１０Ｂは、異なる映像（映像信号）をそれぞれ１フィールド区間内で複数の映像に時分割し、撮影カメラにおける電子シャッタのＯＮ／ＯＦＦのタイミングに合わせて、一方の映像を電子シャッタがＯＮの期間、すなわち撮影期間に表示し、他方の映像を電子シャッタがＯＦＦの期間、すなわち非撮影期間に表示することができる。
なお、本構成においても、映像表示装置１０Ｂから、映像表示手段１５を省き、映像表示制御装置２０Ｂとして分離して構成することとしてもよい。
【００９７】
［映像表示装置の動作］
次に、図３及び図４を参照して、本発明の第２の実施の形態に係る映像表示装置の動作について説明する。図４は、映像表示装置の動作を説明するための主要な信号を示すタイムチャートである。
映像表示装置１０Ｂには、映像時分割手段１１Ａに第１の映像信号である映像信号ａが入力され、映像時分割手段１１Ｂに第２の映像信号である映像信号ｂが入力されるものとする。さらに、映像表示装置１０Ｂには、撮影カメラ３０（図６参照）と同一の同期信号が、同期制御手段１２に入力されるものとする。なお、図４では、図を簡略化するため映像信号ａと映像信号ｂには水平同期信号を図示していない。
【００９８】
（映像時分割ステップ）
まず、映像表示装置１０Ｂは、映像時分割手段１１Ａの同期分離回路１１ａによって、映像信号（図４の「映像信号ａ」）から、垂直同期信号と水平同期信号とからなる複合同期信号を分離する。そして、垂直同期分離回路１１ｂによって、複合同期信号から、垂直同期信号を分離する。また、映像表示装置１０Ｂは、書き込みタイミング信号発生回路１１ｃによって、同期分離回路１１ａで分離された複合同期信号と、垂直同期分離回路１１ｂで分離された垂直同期信号とに基づいて、走査変換回路１１ｅに対する書き込みタイミング信号を生成する。そして、映像表示装置１０Ｂは、走査変換回路１１ｅによって、書き込みタイミング信号を基準として、映像信号ａを図示していないメモリに書き込む。
【００９９】
また、映像表示装置１０Ｂは、映像時分割手段１１Ｂにおいて、映像時分割手段１１Ａと同様の動作で、走査変換手段１１ｅによって、書き込みタイミング信号を基準として、映像信号（図４の「映像信号ｂ」）を図示していないメモリに書き込む。
【０１００】
さらに、映像表示装置１０Ｂは、同期制御手段１２の垂直同期分離回路１２ａによって、同期信号から垂直同期信号（図４の「撮影カメラの垂直同期信号ｃ」）を分離する。そして、映像表示装置１０Ｂは、遅延回路１２ｂによって、予め定めた同期信号と電子シャッタ信号との遅延量に基づいて、垂直同期分離回路１２ａから出力される垂直同期信号を遅延させる（図４の「遅延された垂直同期信号ｄ」）。これによって、遅延された垂直同期信号は、電子シャッタのＯＮ／ＯＦＦを示す電子シャッタ信号（図４の「撮影カメラの電子シャッタ信号ｅ」）と同期した信号（電子シャッタ同期信号）となる。
【０１０１】
そして、映像表示装置１０Ｂは、映像時分割手段１１Ａの読み出しタイミング信号発生回路１１ｄによって、外部から入力される同期信号と、同期制御手段１２から入力される電子シャッタ同期信号とに基づいて、電子シャッタのタイミングに同期した読み出しタイミング信号を生成する。そして、走査変換回路１１ｅが、その読み出しタイミング信号に基づいて、図示していないメモリから映像信号（図４の「映像信号ａ」）を分割して読み出す（図４の「走査変換回路の時分割映像信号ｆ」）。
【０１０２】
また、映像表示装置１０Ｂは、映像時分割手段１１Ｂにおいて、映像時分割手段１１Ａと同様の動作で、走査変換手段１１ｅによって、図示していないメモリから映像信号（図４の「映像信号ｂ」）を分割して読み出す（図４の「走査変換回路の時分割映像信号ｇ」）。
【０１０３】
（映像表示切り替えステップ）
また、映像表示装置１０Ｂは、映像表示切り替え手段１３Ｂにおいて、読み出し時間設定回路１３ｂ2によって、遅延回路１２ｂで遅延された垂直同期信号から、電子シャッタのＯＮ（撮影期間）又はＯＦＦ（非撮影期間）のタイミングを示す電子シャッタ信号を生成する。この電子シャッタ信号は、図４の撮影カメラの電子シャッタ信号ｅと同一の信号となる。そして、信号切り替え回路１３ａ2によって、電子シャッタのＯＦＦの期間は、第１の映像信号である映像信号ａを、電子シャッタのＯＮの期間は、第２の映像信号である映像信号ｂを、それぞれ出力する（図４の「表示映像信号ｈ」）。
【０１０４】
（映像表示ステップ）
そして、映像表示装置１０Ｂは、映像表示手段１５の投影素子駆動回路１５ａによって、信号切り替え回路１３ａ2から出力される映像信号（表示映像信号）から、投影素子１５ｂの可動ミラーを駆動する駆動信号を生成する。
そして、映像表示装置１０Ｂは、投影素子１５ｂによって、投影素子駆動回路１５ａで生成された駆動信号に基づいて映像を表示する。
以上の動作によって、映像表示装置１０Ｂは、異なる映像（映像信号）をそれぞれ１フィールド区間内で複数の映像に分割し、撮影カメラの電子シャッタのタイミングに合わせて、一方の映像を撮影カメラの撮影期間に表示し、他方の映像を撮影カメラの非撮影期間に表示することができる。
【０１０５】
例えば、読み出しタイミング信号発生回路１１ｄが、垂直同期信号の周期の５倍のスピードで読み出しタイミング信号を生成したとき、図４に示すように、信号切り替え回路１３ａ2から出力される表示映像信号ｈの始めの２フィールド（ｇ１，ｇ２）は、映像信号ｂの映像を、その後の３フィールド（ｆ３，ｆ４，ｆ５）は、映像信号ａの映像を表示する。この場合、撮影カメラの１フィールドの時間が１６．６７ミリ秒であることから、映像信号ｂの表示時間は、１６．６７×２÷５＝６．６７（ミリ秒）となる。
【０１０６】
そして、撮影カメラ３０として、１／１００（１００分の１）秒の電子シャッタを用いると、１フィールド区間の露光時間は１０．００ミリ秒となり、未露光時間は１６．６７−１０．００＝６．６７（ミリ秒）となる。すなわち、撮影カメラ３０の未露光時間（６．６７ミリ秒）と、映像信号ｂの表示時間（１６．６７ミリ秒）とが等しくなる。このように、撮影カメラ３０の電子シャッタが閉じている未露光時間に合わせて映像信号ｂを表示することで、撮影カメラ３０には映像信号ａの映像のみが撮影され、映像信号ｂの映像は撮影されないことになる。
以上の動作によって、映像表示装置１０Ｂは、映像の１フィールド区間を時分割して、撮影カメラの電子シャッタのタイミングに合わせて、複数の映像を切り替えて表示することができる。
【図面の簡単な説明】
【０１０７】
【図１】本発明の第１の実施の形態に係る映像表示装置の構成を示すブロック図である。
【図２】本発明の第１の実施の形態に係る映像表示装置の動作を説明するためのタイムチャートである。
【図３】本発明の第２の実施の形態に係る映像表示装置の構成を示すブロック図である。
【図４】本発明の第２の実施の形態に係る映像表示装置の動作を説明するためのタイムチャートである。
【図５】光軸変更手段の一例を示す図である。
【図６】本発明に係る映像表示装置を含んだ映像撮影システムの全体構成を示す模式図である。
【図７】本発明に係る映像表示装置が透過型スクリーンに表示した映像の一例を示す図であって、（ａ）は撮影カメラの非撮影期間に表示される映像、（ｂ）は撮影カメラの撮影期間に表示される映像を示す図である。
【図８】撮影カメラが撮影した映像の一例を示す図である。
【図９】撮影カメラが撮影した映像から生成した、番組用の映像を示す図である。
【図１０】従来の間欠光による情報提示技術を説明するためのテレビスタジオの模式図である。
【図１１】電子シャッタと、液晶シャッタとの各信号の関係を示すタイムチャートである。
【図１２】従来の間欠光による情報提示技術で、１フィールド内の映像を分割した映像信号を示すタイムチャートである。
【符号の説明】
【０１０８】
１      映像撮影システム
１０、１０Ｂ
映像表示装置
１１    映像時分割手段
１１Ａ  第１の映像時分割手段
１１Ｂ  第２の映像時分割手段
１２    同期制御手段
１３、１３Ｂ
映像表示切り替え手段
１４    色光表示切り替え手段
１５    映像表示手段
１６    色光表示手段
２０    透過型スクリーン
３０    撮影カメラ
【図１】
2005268838.tif 000003
【図２】
2005268838.tif 000004
【図３】
2005268838.tif 000005
【図４】
2005268838.tif 000006
【図５】
2005268838.tif 000007
【図６】
2005268838.tif 000008
【図７】
2005268838.tif 000009
【図８】
2005268838.tif 000010
【図９】
2005268838.tif 000011
【図１０】
2005268838.tif 000012
【図１１】
2005268838.tif 000013
【図１２】
2005268838.tif 000014